(57)【要約】      （修正有）【課題】排気が吸気フードへショートサーキットせずして空調性能を良好に保持することができると共に、収まりが良好でしかも容易に施工し得るようにした排気ダクトを提供する。【解決手段】排気ファンから吐出された排気をダクト本体内２６ａへ導入するための短管２６ｃを備え、第一のガイド板２９、第二のガイド板３０を固設することにより、排気ファンからダクト本体２６ａ内へ導入された排気Ａｅは、排気ダクト２６上端の開口部２６ｂから外部上方へ排出されるようにする。【選択図】図４
2006242469.tif 000002
【特許請求の範囲】
【請求項１】
上端部に排気用の開口部を有する縦型のダクト本体と、該ダクト本体の側部に設けられると共に排気ファン側へ向かい絞られて前記排気ファンの吐出口に接続され、且つ排気ファンから吐出された排気を前記ダクト本体内へ導入するための短管を備えたことを特徴とする排気ダクト。
【請求項２】
ダクト本体内上端部側には、ダクト本体の前後方向略中間部に位置してダクト本体の幅方向へ延在する縦壁状の第一のガイド板が固設されると共に、前記ダクト本体内における短管の上縁部近傍には、ダクト本体の幅方向へ延在する略水平帯板状の第二のガイド板が固設されている請求項１記載の排気ダクト。
【請求項３】
第二のガイド板は、短管側から離反するに従い若干下り傾斜に形成されている請求項２記載の排気ダクト。
【請求項４】
第一のガイド板の下端は、短管から離反する側におけるダクト本体上端端部と排気ファンの吐出口側における短管絞り部終点下端を結んだ直線上に略位置し、又、第二のガイド板の先端は第一のガイド板の上端と排気ファンの吐出口側における短管絞り部終点下端を結んだ直線上に略位置している請求項２又は３記載の排気ダクト。
【請求項５】
ダクト本体の底面は、短管から離反する側へ向けて下り傾斜に形成され、傾斜面の下端近傍には雨水排出手段が設けられている請求項１乃至４の何れかに記載の排気ダクト。
【発明の詳細な説明】
【技術分野】
【０００１】
本発明は、排気が吸気フードへショートサーキットせずして空調性能を良好に保持することができると共に、収まりが良好でしかも容易に施工し得るようにした排気ダクトに関するものである。
【背景技術】
【０００２】
空調システムには、外部空調機を備えたものがあり、斯かる外部空調機の一例は図５〜図７に示されている。而して、外部空調機１のハウジング１ａ内は、仕切り板１ｂにより仕切られて室２，３が形成されている。
【０００３】
室２の一端側に設けた吸気口４には、下端開口側から外気である新鮮な空気Ａを吸気して室２内に導入し得るよう、吸気フード５が取付けられており、室２の他端側には、室２内を送給されて来た空気Ａを図示してない空調機側へ送給するための給気口６が設けられている。
【０００４】
室３の一端側（ハウジング１ａの給気口６を設けた側と同一側）には、空調空間から還気されて空調機側へ循環しなかった還気Ａｒの一部が排気として導入される還気口７が設けられ、室３の他端側（ハウジング１ａの吸気口４を設けた側と同一側）には、ハウジング１ａの側部に位置するよう、排気口８が設けられ、排気口８には、排気Ａｅを下方へ向けて排気するよう、排気フード９が設けられている。
【０００５】
室２内には、例えば、空気Ａの流れ方向上流側から下流側へ向けて、吸気口４部に取付けられた開度調整可能な空気流量調整ダンパ１０と、布を巻取る方式で空気Ａ中の塵埃を除去するためのオートロールフィルタ１１と、予熱用の蒸気コイル１２と、蒸気コイル１２に繋がっている蒸気入口１３ａ及び蒸気ドレン出口１３ｂと、互いに近接配置された冷水コイル１４及び温水コイル１５と、蒸気加湿器１６と、吐出口が給気口６に位置するようにした吸気ファン１７とが配置されている。
【０００６】
室３内には、例えば、還気Ａｒの流れ方向上流側から下流側へ向けて、還気口７部に取付けられて開度調整可能な還気流量調整ダンパ１８と、布を巻取る方式で還気Ａｒ中の塵埃を除去するためのオートロールフィルタ１９と、吐出口２０ａが排気口８部に位置して排気フード９に接続されるようにした排気ファン２０とが配置されている。
【０００７】
ハウジング１ａ内には、室２，３に跨って、蒸気コイル１２よりも空気Ａ流れ方向下流側に位置すると共に、排気ファン２０よりも還気Ａｒ流れ方向上流側に位置するようにした全熱交換器２１が、図示してない駆動装置により回転駆動可能に配置されている。全熱交換器２１は、空気Ａと還気Ａｒが有する顕熱と潜熱を同時に交換する空調用の熱交換器である。又、室２における空気Ａの流れ方向と、室３における還気Ａｒの流れ方向とは反対向きとなっている。図５中、３１，３２は仕切り板である。
【０００８】
図５及び図６に示すように、吸気フード５の開口部５ａと排気フード９の開口部９ａは何れも吸気フード５、排気フード９の下端に設けられて下方に向き開口し、図７に示すように平面視で９０度位相を異にして近接配置されている。而して、図５の２２は吸気フード５の開口部５ａに設けられた防鳥網であり、図６の２３は、排気フード９の開口部９ａに設けられた防鳥網である。
【０００９】
空調について説明すると、冷房時に開口部５ａから吸気フード５内に吸込まれた空気Ａは、空気流量調整ダンパ１０により流量調整されて室２内に導入され、オートロールフィルタ１１において塵埃を除去された後、回転駆動されている全熱交換器２１において、室３側の還気Ａｒとの間で熱と水蒸気の授受が行なわれると共に、冷却されて除湿される。全熱交換器２１において冷却され除湿された空気Ａは、冷水コイル１４において一次冷却されて相対湿度が上昇する。而して、冷却されて相対湿度が上昇した空気Ａは、吸気ファン１７により空調機側へ送給される。
【００１０】
又、図示してない空調空間を冷房して排出されると共に、空調機へ循環されなかった一部の還気Ａｒは、還気流量調整ダンパ１８により流量を調整されて室３内に導入され、オートロールフィルタ１９により塵埃を除去され、しかる後全熱交換器２１へ送給され、全熱交換器２１において室２側の空気Ａとの間で熱と水蒸気の授受が行なわれ、加熱されると共に絶対湿度が上昇し、排気ファン２０により排気Ａｅとして排気フード９の開口部９ａから外部下方へ排出される。
【００１１】
暖房時においても空気Ａ、還気Ａｒの流れは冷房時と同様であるが、室２へ導入された空気Ａは、全熱交換器２１において室３側の還気Ａｒにより加熱されると共に、温水コイル１５において加温される。又、室３へ導入された還気Ａｒは全熱交換器２１において、室２側の空気Ａを加熱し、排気される。なお、予熱用の蒸気コイル１２及び蒸気加湿器１６は空調時に必要な場合に適宜使用される。
【００１２】
外部空調機１においては、図８に示すような下向き６０度の排気エルボ２４が設けられることもある。図８中、２５は排気エルボ２４の下端に設けられた防鳥網である。
【００１３】
又、外部空調機の吸気フードや排気フード、排気エルボを直接示す先行技術文献情報は見当たらないが、フードやダクトを示す参考先行技術文献情報としては特許文献１、２等がある。
【特許文献１】特開平７−２３３９８７号公報
【特許文献２】特開平９−１４７４０号公報
【発明の開示】
【発明が解決しようとする課題】
【００１４】
上記外部空調機１においては、空気Ａと還気Ａｒの流れ方向が逆であるため、空気Ａの吸気位置と、還気Ａｒの排気位置は、外部空調機１におけるハウジング１ａの長手方向同一側となる。このため、配置上、吸気フード５の吸気口である開口部５ａが、床面に近い高さの低い位置に在る場合には、排気フード９の開口部９ａから排出された排気Ａｅはショートサーキットして再び吸気フード５を経て室２内へ導入される虞があり、空調の性能を低下させる虞がある。これは、図８のような排気エルボ２４を設けた場合も同様である。
【００１５】
又、配置スペースが狭い場合は、排気エルボ２４を使用する際に収まり条件が厳しく、更には、外部空調機１が大型で排気位置が高い場合には、排気エルボ２４の施工を行い難い。
【００１６】
本発明は、上述の実情に鑑み、排気が吸気フードへショートサーキットせずして空調性能を良好に保持することができると共に、収まりが良好でしかも容易に施工し得るようにした排気ダクトを提供することを目的としてなしたものである。
【課題を解決するための手段】
【００１７】
本発明の排気ダクトは、上端部に排気用の開口部を有する縦型のダクト本体と、該ダクト本体の側部に設けられると共に排気ファン側へ向かい絞られて前記排気ファンの吐出口に接続され、且つ排気ファンから吐出された排気を前記ダクト本体内へ導入するための短管を備えたものである。
【００１８】
又、本発明の排気ダクトにおいては、ダクト本体内上端部側に、ダクト本体の前後方向略中間部に位置してダクト本体の幅方向へ延在する縦壁状の第一のガイド板が固設されると共に、前記ダクト本体内における短管の上縁部近傍に、ダクト本体の幅方向へ延在する略水平帯板状の第二のガイド板が固設されている。
【００１９】
更に、本発明の排気ダクトにおいては、第二のガイド板は、短管側から離反するに従い若干下り傾斜に形成されている。
【００２０】
更に又、本発明の排気ダクトにおいては、第一のガイド板の下端は、短管から離反する側におけるダクト本体上端端部と排気ファンの吐出口側における短管絞り部終点下端を結んだ直線上に略位置し、又、第二のガイド板の先端は第一のガイド板の上端と排気ファンの吐出口側における短管絞り部終点下端を結んだ直線上に略位置している。
【００２１】
更に又、本発明の排気ダクトにおいては、ダクト本体の底面は、短管から離反する側へ向けて下り傾斜に形成され、傾斜面の下端近傍には雨水排出手段が設けられている。
【発明の効果】
【００２２】
本発明の排気ダクトによれば、下記のごとき種々の優れた効果を奏し得る。
Ｉ）排気はダクト本体上端の開口部から外部上方へ排出されるため、外部空調機の吸気フードの開口部が床面近傍に位置する場合でも、排気がショートサーキットして再び吸気フードに吸込まれることがなく、従って、空調性能が阻害されることがない。
ＩＩ）配置スペースが狭い場合でも、ダクト本体を縦型にすることにより容易に配置することができ、更には、外部空調機が大型で排気位置が高い場合でも、容易に施工を行なうことができる。
ＩＩＩ）ダクト本体へ侵入した雨水等は、底面の傾斜面に沿い流下して水抜き短管から外部へ排出されると共に、ダクト本体内には、ガイド板が設けられているため、ダクト本体上端の開口部から入り込んだ雨水が排気ファンの吐出口側へ侵入することを防止することができる。
【発明を実施するための最良の形態】
【００２３】
以下、本発明の実施の形態を添付図面を参照して説明する。
図１〜図４は本発明を実施する形態の一例であって、図中、図５〜図７に示すものと同一の符号を付した部分は同一のものを表わし、基本的な構成は排気部以外は図５〜図７に示す従来のものと略同様である。
【００２４】
而して、本図示例の特長とするところは、平面視で吸気フード５に近接配置されて排気ファン２０の吐出口２０ａに接続された排気ダクト２６を縦向き配置し、排気Ａｅを吸気フード５側から離反するよう、外部上方へ向け排出し得るようにした点である。
【００２５】
すなわち、排気ダクト２６を形成する角形状のダクト本体２６ａの上端部には、図４に示すように、防鳥網２７が設けられた開口部２６ｂが形成されると共に、ダクト本体２６ａにおける排気ファン２０側の側部には、排気ファン２０の吐出口２０ａに向かって絞られた形状の短管２６ｃが設けられ、短管２６ｃの先端は、排気ファン２０の吐出口２０ａに接続されている。
【００２６】
又、排気ダクト２６における短管２６ｃ部分の下面及びダクト本体２６ａの底面２６ｄは、これらの部分に水が溜まらないよう、短管２６ｃ側から排気ファン２０の吐出口２０ａとは反対側へ向かって下り傾斜に形成されており、底面２６ｄの下端側先端部には、常時開の水抜き短管２８が取付けられている。
【００２７】
ダクト本体２６ａ内上端部には、ダクト本体２６ａの前後方向（排気ファン２０における吐出口２０ａの軸線方向）略中間部に位置してダクト本体２６ａの幅方向へ延在する縦壁状のガイド板２９が固設されると共に、ダクト本体２６ａ内における短管２６ｃの上縁部近傍には、短管２６ｃ側から離反するに従い若干下り傾斜で且つダクト本体２６ａの幅方向へ延在する略水平帯板状のガイド板３０が固設されている。ガイド板３０を短管２６ｃ側から離反するに従い若干下り傾斜にするのは、ガイド板３０上面に水が溜まらないようにするためである。
【００２８】
而して、ガイド板２９の下端は、ダクト本体２６ａの短管２６ｃを設けた側とは反対側における上端端部と、排気ファン２０の吐出口２０ａ側における短管２６ｃの絞り部終点下端Ｐを結んだ直線Ｌ１上に略位置している。又、ガイド板３０の先端とガイド板２９の下端とは略同一高さ位置に在り、ガイド板２９，３０の間には、排気Ａｅが通過し得るよう空隙が形成されている。更に、ガイド板３０の先端は、ガイド板２９の上端と排気ファン２０の吐出口２０ａ側における短管２６ｃの絞り部終点下端Ｐを結んだ直線Ｌ２上に略位置している。このようにするのは、上端の開口部２６ｂからダクト本体２６ａ内へ降った雨等が排気ファン２０側へ侵入しないようにするためである。
【００２９】
本図示例においても、空調時の空気Ａや還気Ａｒの流れは、図５〜図７に示す場合と同様であるが、排気Ａｅはダクト本体２６ａの開口部２６ｂから上方へ排出されるため、吸気フード５の下端に在る開口部５ａが床面近傍に位置する場合でも、排気Ａｅがショートサーキットして再び吸気フード５に吸込まれることがなく、従って、空調性能が阻害されることがない。
【００３０】
又、配置スペースが狭い場合でも、ダクト本体２６ａを縦型にすることにより容易に配置することができ、更には、外部空調機１が大型で排気位置が高い場合でも、容易に施工を行なうことができる。
【００３１】
ダクト本体２６ａ内には、ガイド板２９，３０が設けられているため、開口部２６ｂからダクト本体２６ａ内へ侵入した雨水等は、ガイド板２９，３０によりガイドされ、底面２６ｄに落下する。従って、雨水等が排気ファン２０の吐出口２０ａ側へ侵入することを防止することができる。ダクト本体２６ａの底面２６ｄに落下した雨水等は、その傾斜面に沿い流下して水抜き短管２８から外部へ排出される。
【００３２】
なお、本発明の排気ダクトは、上記した実施の形態に限定されるものではなく、本発明の要旨を逸脱しない範囲内において種々変更を加え得ることは勿論である。
【図面の簡単な説明】
【００３３】
【図１】本発明の排気ダクトが適用される外部空調機の概要を示す側断面図である。
【図２】図１のＩＩ−ＩＩ方向矢視図である。
【図３】図１のＩＩＩ−ＩＩＩ方向矢視図である。
【図４】本発明の排気ダクトの詳細を示す縦断面図である。
【図５】従来の排気ダクトが適用される外部空調機の概要を示す側断面図である。
【図６】図５のＶＩ−ＶＩ矢視図である。
【図７】図５のＶＩＩ−ＶＩＩ矢視図である。
【図８】外部空調機に適用される従来の排気エルボの例を示す側面図である。
【符号の説明】
【００３４】
２６  排気ダクト
２６ａ        ダクト本体
２６ｂ        開口部
２６ｃ        短管
２６ｄ        底面
２８  水抜き短管（雨水排出手段）
２９  ガイド板
３０  ガイド板
Ｌ１  直線
Ｌ２  直線
Ａｒ  排気
Ｐ  絞り部終点下端（短管絞り部終点下端）
【図１】
2006242469.tif 000003
【図２】
2006242469.tif 000004
【図３】
2006242469.tif 000005
【図４】
2006242469.tif 000006
【図５】
2006242469.tif 000007
【図６】
2006242469.tif 000008
【図７】
2006242469.tif 000009
【図８】
2006242469.tif 000010